(57)【要約】【課題】  スタンドアロン状態のファクシミリ装置であっても、ＩＰ網に接続された印刷装置での印刷が可能な情報処理装置を提供する。【解決手段】  所定の情報処理端末とファクシミリ通信を行う情報処理装置であって、クラウドサービスと通信を行うネットワーク制御部と、ファクシミリ通信において取得したファクシミリ画像データを画像変換する画像変換部と、前記画像変換部において変換されたファクシミリ画像データを前記クラウドサービスに送信する画像データ送信部と、前記ファクシミリ画像データに対応したサブアドレスに基き、前記クラウドサービスを介して印刷を行わせる印刷装置を指定するサブアドレステーブルとを備えることを特徴とした情報処理装置。【選択図】  図１
2015070305.tif 000002
【特許請求の範囲】
【請求項１】
所定の情報処理端末とファクシミリ通信を行う情報処理装置であって、
クラウドサービスと通信を行うネットワーク制御部と、
ファクシミリ通信において取得したファクシミリ画像データを画像変換する画像変換部と、
前記画像変換部において変換されたファクシミリ画像データを前記クラウドサービスに送信する画像データ送信部と、
前記ファクシミリ画像データに対応したサブアドレスに基き、前記クラウドサービスを介して印刷を行わせる印刷装置を指定するサブアドレステーブルとを備えること
を特徴とする情報処理装置。
【請求項２】
前記サブアドレステーブルは、前記サブアドレスに対応させて前記クラウドサービスに接続るためのアカウント情報と、前記クラウドサービスに登録された印刷装置の装置名情報とを含むこと
を特徴とする請求項１に記載の情報処理装置。
【請求項３】
前記サブアドレステーブルは、前記画像変換部による画像データの画像変換時に適用される解像度の設定値を含むこと
を特徴とする請求項１又は請求項２に記載の情報処理装置。
【請求項４】
送信側登録電話番号信号と送信条件通知信号とに付随した前記サブアドレスを含むサブアドレス信号を前記所定の情報処理端末から受信するファクシミリ制御部を備えること
を特徴とする請求項１乃至請求項３の何れか１項に記載の情報処理装置。
【請求項５】
前記サブアドレスが前記サブアドレステーブルに含まれていない場合、ファクシミリ通信を終了するファクシミリ回線切断信号を前記所定の情報処理端末に対して送信すること
を特徴とする請求項１乃至請求項４の何れか１項に記載の情報処理装置。
【発明の詳細な説明】
【技術分野】
【０００１】
本発明は、ファクシミリ通信において受信した画像データを印刷装置で印刷させるための情報処理装置に関するものである。
【背景技術】
【０００２】
例えば、ファクシミリ通信の内容に地図のような高精度な画像データが含まれている場合、紙媒体に印刷された画像が不鮮明になり画像が読取れないといった問題があった。このような問題を解決するために、例えば、特許文献１には、外部端末から受信したログイン情報に基いてサーバにアクセスし、外部端末が予めサーバに格納させたファクシミリ画像を取得後、取得したファクシミリ画像を印刷装置で印刷させる中継装置について記載がなされている。
【先行技術文献】
【特許文献】
【０００３】
【特許文献１】特開２０１２−１６０８１２号公報
【発明の概要】
【発明が解決しようとする課題】
【０００４】
しかしながら、ＩＰ網に接続されていない、所謂、スタンドアロン状態のファクシミリ装置では、サーバに対してファクシミリ画像を送信することができず、印刷装置で印刷を行わせることもできなかった。
【０００５】
本発明はこのような実状に鑑みてなされたものであり、本発明の課題は、スタンドアロン状態のファクシミリ装置であっても、ＩＰ網に接続された印刷装置での印刷が可能な情報処理装置を提供することである。
【課題を解決するための手段】
【０００６】
上記課題を解決するために、本発明に係る情報処理装置は、所定の情報処理端末とファクシミリ通信を行う情報処理装置であって、クラウドサービスと通信を行うネットワーク制御部と、ファクシミリ通信において取得したファクシミリ画像データを画像変換する画像変換部と、前記画像変換部において変換されたファクシミリ画像データを前記クラウドサービスに送信する画像データ送信部と、前記ファクシミリ画像データに対応したサブアドレスに基き、前記クラウドサービスを介して印刷を行わせる印刷装置を指定するサブアドレステーブルとを備えることを特徴としている。
【発明の効果】
【０００７】
本発明によれば、スタンドアロン状態のファクシミリ装置であっても、ＩＰ網に接続された印刷装置での印刷が可能な情報処理装置を提供することができる。
【図面の簡単な説明】
【０００８】
【図１】本発明の実施形態に係るゲートウェイ装置の機能構成を説明するブロック図である。
【図２】サブアドレスアカウントテーブルの構成例の一例を示す図である。
【図３】操作パネルの構成例を示す概略図である。
【図４】本発明の基本的概念を説明する概念図である。
【図５】サブアドレスアカウントテーブルの登録動作を説明するフローチャートである。
【図６】ファクシミリ装置により送信されたファクシミリ画像データに付随するサブアドレスがゲートウェイ装置が保持するサブアカウントテーブルに登録されている場合の例を説明するシーケンス図である。
【図７】ファクシミリ装置により送信されたファクシミリ画像データに付随するサブアドレスがゲートウェイ装置が保持するサブアカウントテーブルに登録されていない場合の例を説明するシーケンス図である。
【図８】ファクシミリ装置とゲートウェイ装置との間で行われるファクシミリ通信の詳細を説明するフローチャートである。
【発明を実施するための形態】
【０００９】
以下、本発明の実施形態について図面を参照して説明する。なお、本発明は以下の記述に限定されるものではなく、本発明の要旨を逸脱しない範囲において適宜変更可能である。
【００１０】
図１は、本発明の実施形態に係る情報処理装置としてのゲートウェイ装置１０の機能構成を説明するブロック図である。ゲートウェイ装置１０は、ＮＩＣ（Network Interface Card）３０を介してインターネット（ＩＰ）網に接続されており、例えば、ソフトウェアプログラム、アプリケーション実行用プラットホーム、ハードウエア等のインターネット上における提供手段であるクラウドサービスからこれらの機能の提供を受けることができるように構成されている。また、ゲートウェイ装置１０は、ＮＣＵ（Network Control Unit）３２を介して公衆回線（ＰＳＴＮ）網に接続されており、例えば、ファクシミリ装置といった所定の情報処理端末とファクシミリ通信が可能となるように構成されている。なお、ＮＩＣ３０は、ゲートウェイ装置１０をＩＰ網に接続するための拡張カードであり、クラウドサービスへのアクセスやデータの送受を行う。また、ＮＣＵ３２は、網制御装置であり、モデム３３と公衆回線網との接続及び開放を制御する。
【００１１】
このような機能を奏するゲートウェイ装置１０は、上記ＮＩＣ３０及びＮＣＵ３２の他に、ハードウェア制御とソフトウェアプログラムとを実行し、装置本体を統括的に制御する制御部１１と、装置状態を表示するためのＬＣＤ（Liquid Crystal Display）又はＣＲＴ（Cathode Ray Tube）といった表示部及び利用者による操作入力を受付ける操作部を備えた操作パネル３１とを備える。
【００１２】
以下に、制御部１１の構成について説明する。制御部１１は、システム制御部２１と、ネットワーク制御部２２と、操作パネル制御部２３と、ファクシミリ制御部２４と、メモリ蓄積部２５と、画像変換部２６と、印刷データ送信部２７と、モデム３３と、メモリ３４と、ＲＯＭ（Read Only Memory）４２と、ＲＡＭ（Random Access Memory）４３とを備え，これらはシステムバス１２を介して接続されている。
【００１３】
システム制御部２１は、ＣＰＵ（Central Processing Unit）４１を備え、システム内の資源を管理し、ソフトウェアプログラムの起動や停止を行う。
【００１４】
ネットワーク制御部２２は、ＮＩＣ３０を制御することで、一般的なＴＣＰ／ＩＰプロトコルによる通信を行いクラウドサービスとの接続を確立する。
【００１５】
操作パネル制御部２３は、操作パネル３１を制御し、操作パネル３１の表示部に表示させる表示内容の決定や、利用者により操作部を介して入力された入力内容をシステム制御部２１に通知するといったユーザインタフェースの機能を担う。
【００１６】
ファクシミリ制御部２４は、ＩＴＵ−Ｔ勧告Ｔ．３０に従って、ファクシミリ手順制御を行い、公衆回線網を介して所定の情報処理端末であるファクシミリ装置とのネゴシエーションを行う。
【００１７】
メモリ蓄積部２５は、受信したファクシミリ画像データを後述するメモリ３４に蓄積させる。
【００１８】
画像変換部２６は、受信したファクシミリ画像データに対して、解像度の変換又はファイル形式の変換を行う。
【００１９】
印刷データ送信部２７は、画像変換部２６において変換されたファクシミリ画像データをＮＩＣ３０を介して送信する。
【００２０】
モデム３３は、変復調装置であり、ファクシミリ制御部２４による制御に基き、ファクシミリ伝送制御手順による手順データやファクシミリ画像データを変復調し、ＮＣＵ３２を介して相手先のファクシミリ装置間とデータを送受する。
【００２１】
メモリ３４は、例えば、フラッシュメモリや、ＥＥＰＲＯＭ（Electrically Erasable Programmable Read-Only Memory）といった不揮発メモリであり、メモリ蓄積部２５による制御に基き、受信したファクシミリ画像データを記憶する。
【００２２】
ＲＯＭ（Read-Only Memory）４２は、システム制御部２１によって実行されるソフトウェアプログラムを記憶する。
【００２３】
ＲＡＭ（Random Access Memory）４３は、システム制御部２１によるソフトウェアプログラム実行時に発生するデータを記憶する。また、ＲＡＭ４３は、サブアドレステーブルとしてのサブアドレスアカウントテーブルを記憶する。サブアドレスアカウントテーブルは、受信したファクシミリ画像データの印刷にあたり、クラウドサービスに登録された印刷装置の中でどの印刷装置を用いるかを、クラウドサービスに接続するためのアカウント情報に対応させて定義したテーブルである。図２は、本実施形態に係るサブアドレスアカウントテーブル６０の構成例の一例を示す図である。サブアドレスアカウントテーブル６０は、ファクシミリ受信したファクシミリ画像データをユニークに扱うための識別子であるサブアドレス６１と、クラウドサービスに接続するためのアカウントであるアカウント６２と、クラウドサービスに登録する装置名であるプリンタ名６３と、画像変換部２６によるファクシミリ画像データの画像変換時に適用される解像度である解像度６４とを含む。
【００２４】
図３は、本実施形態に係る操作パネル３１の構成例を示す概略図である。操作パネル３１は、表示部３１０と、操作部としてのファンクションキー３１１、アカウント登録キー３１２、ストップキー３１３、ＯＫキー３１４を有する矢印キー３１５、及びテンキー３１６とを備える。前述したサブアドレスアカウントテーブル６０のテーブル情報は、利用者により操作パネル３１を介して入力される。入力された、サブアドレス６１、アカウント６２、プリンタ名６３、及び解像度６４からなるテーブル情報は操作パネル制御部２３によりシステム制御部２１に出力される。システム制御部２１は操作パネル制御部２３から出力されたテーブル情報をサブアドレスアカウントテーブル６０としてＲＡＭ４３に記憶させる。なお、図３は、アカウント登録キー３１２の押下を受け、表示部３１０に登録されたアカウント登録一覧が表示された例を示した図である。
【００２５】
次に、本発明の基本的概念について図４の概念図を用いて説明する。
【００２６】
まず、利用者はゲートウェイ装置１０の操作パネル３１を介して、ファクシミリ受信したファクシミリ画像データをユニークに扱うための識別子であるサブアドレス６１と、クラウドサービスに接続するためのアカウントであるアカウント６２と、クラウドサービスに登録する装置名であるプリンタ名６３と、画像変換部２６によるファクシミリ画像データの画像変換時に適用される解像度である解像度とを入力する。そして、システム制御部２１は、利用者により入力されたこれらのテーブル情報をサブアドレスアカウントテーブル６０としてＲＡＭ４３に記憶させる。
【００２７】
次に、利用者はゲートウェイ装置１０を公衆回線網に接続する。そして、利用者は利用者端末（例えば、ファクシミリ装置１００）を用いてゲートウェイ装置１０に対してサブアドレスを指定したファクシミリ送信を行う（図４（１））。なお、本実施形態においては、サブアドレスは最大２０桁まで入力できるものとする。
【００２８】
ゲートウェイ装置１０は、受信したファクシミリ画像データに付随するサブアドレスに基き、当該サブアドレスに対応するアカウント６２をサブアドレスアカウントテーブル６０から取得する。そして、ゲートウェイ装置１０の画像変換部２６は、サブアドレスアカウントテーブル６０において解像度が定義されている場合には、当該解像度に基きファクシミリ画像データを画像変換する。画像変換後、ゲートウェイ装置１０は取得したアカウント６２に基きクラウドサービス１に接続し(図４（２）)、変換したファクシミリ画像データを印刷データとして送信する（図４（３））。
【００２９】
印刷データを受信したクラウドサービス１は、アカウント６２に対応して登録されたプリンタ名６３に対応する印刷装置２００に対して印刷データが登録された旨を通知する。そして、クラウドサービス１は、当該印刷データを印刷装置２００に対して送信し（図４（４））、これを受信した印刷装置２００は、印刷を実行する。
【００３０】
ここで、利用者によるサブアドレスアカウントテーブル６０の登録操作について図５のフローチャートを用いて説明する。
【００３１】
まず、ステップＳ１０１において、利用者は図示せぬＰＣ（Personal Computer）等を利用してクラウドサービス１のアカウントを取得する。
【００３２】
次に、利用者は、操作パネル３１を介して、ファクシミリ受信したファクシミリ画像データをユニークに扱うための識別子であるサブアドレス６１と、クラウドサービスに接続するためのアカウントであるアカウント６２と、クラウドサービスに登録する装置名であるプリンタ名６３と、画像変換部２６によるファクシミリ画像データの画像変換時に適用される解像度である解像度とを入力する（ステップＳ１０２）。
【００３３】
入力された、サブアドレス６１、アカウント６２、プリンタ名６３、及び解像度６４からなるテーブル情報は操作パネル制御部２３によりシステム制御部２１に出力される。システム制御部２１は操作パネル制御部２３から出力されたテーブル情報をサブアドレスアカウントテーブル６０としてＲＡＭ４３に記憶させることで登録を行う。
【００３４】
次に、図４で示した利用者端末としてのファクシミリ装置１００と本実施形態に係るゲートウェイ装置１０との間で行われるファクシミリ通信の詳細について、ファクシミリ装置１００により送信されたファクシミリ画像データに付随するサブアドレスがゲートウェイ装置１０が保持するサブアカウントテーブル６０に登録されているか否かの場合に分けて説明する。
【００３５】
図６は、ファクシミリ装置１００により送信されたファクシミリ画像データに付随するサブアドレスがゲートウェイ装置１０が保持するサブアカウントテーブル６０に登録されている場合の例を説明するシーケンス図である。
【００３６】
まず、送信側ファクシミリ装置１００がＦＡＸ識別番号信号（ＣＮＧ）を受信側ゲートウェイ装置１０に送信する。これに対して受信側ゲートウェイ装置１０は、応答信号（ＣＥＤ）を送信側ファクシミリ装置１００に返信後、続けて受信側登録電話番号信号（ＣＳＩ）／受信側各種機能情報信号（ＤＩＳ）を送信する。
【００３７】
（ＣＳＩ）／ＤＩＳを受信した送信側ファクシミリ装置１００は、送信側登録番号信号（ＴＳI）、送信条件通知信号（ＤＣＳ）に併せてサブアドレス信号（ＳＵＢ）を受信側ゲートウェイ装置１０に送信後、続けて受信側ゲートウェイ装置１０とのファクシミリ通信が可能か否かを確認するためのトレーニング信号（ＴＣＦ）を送信する。
【００３８】
（ＳＵＢ）（ＴＳＩ）／ＤＣＳ及びＴＣＦを受信すると、受信側ゲートウェイ装置１０は、受信したＳＵＢに含まれるサブアドレスが自身が保持するサブアドレスアカウントテーブル６０に登録されているか否かを確認する。そして、サブアドレスアカウントテーブル６０にサブアドレスが登録されている場合、正常なシーケンス、すなわち、受信したＴＣＦに対してファクシミリ通信が可能である旨を表す信号（ＣＦＲ）を返信する。
【００３９】
ＣＦＲの受信を受け、送信側ファクシミリ装置１００は、ファクシミリ画像データの本体であるＰＩＸを受信側ゲートウェイ装置１０に対して送信する。そして、ファクシミリ画像データの最終ページを表す信号（ＥＯＰ）を送信すると、受信側ゲートウェイ装置１０はファクシミリ画像データを受信した旨を表す信号（ＭＣＦ）を送信する。ＭＣＦを受信した送信側ファクシミリ装置１００は、ファクシミリ回線を切断する信号（ＤＣＮ）を受信側ゲートウェイ装置１０に対して送信し、一連のファクシミリ通信は終了する。
【００４０】
図７は、ファクシミリ装置１００により送信されたファクシミリ画像データに付随するサブアドレスがゲートウェイ装置１０が保持するサブアカウントテーブル６０に登録されていない場合の例を説明するシーケンス図である。
【００４１】
まず、送信側ファクシミリ装置１００がＣＮＧを受信側ゲートウェイ装置１０に送信する。これに対して受信側ゲートウェイ装置１０は、ＣＥＤを送信側ファクシミリ装置１００に返信後、続けて（ＣＳＩ）／ＤＩＳを送信する。
【００４２】
（ＣＳＩ）／ＤＩＳを受信した送信側ファクシミリ装置１００は、ＴＳI、ＤＣＳに併せてサブアドレス信号（ＳＵＢ）を受信側ゲートウェイ装置１０に送信後、続けて受信側ゲートウェイ装置１０とのファクシミリ通信が可能か否かを確認するためのＴＣＦを送信する。
【００４３】
（ＳＵＢ）（ＴＳＩ）／ＤＣＳ及びＴＣＦを受信すると、受信側ゲートウェイ装置１０は、受信したＳＵＢに含まれるサブアドレスが自身が保持するサブアドレスアカウントテーブル６０に登録されているか否かを確認する。そして、サブアドレスアカウントテーブル６０にサブアドレスが登録されていない場合、受信側ゲートウェイ装置１０は、通信エラーとし、ファクシミリ回線を切断する信号（ＤＣＮ）を送信側ファクシミリ装置１００に対して送信して、一連のファクシミリ通信は終了する。
【００４４】
次に、図６及び図７で説明した利用者端末としてのファクシミリ装置１００と本実施形態に係るゲートウェイ装置１０との間で行われるファクシミリ通信の詳細について図８のフローチャートを用いて説明する。
【００４５】
まず、ゲートウェイ装置１０に対して着信があると（ステップＳ２０１）、ゲートウェイ装置１０のシステム制御部２１は、サブアドレス（ＳＵＢ）を受信したか否かを判定する。ここで、サブアドレスを受信していない場合（ステップＳ２０１  ＮＯ）、システム制御部２１は処理を終了する。
【００４６】
一方、サブアドレスを受信した場合（ステップＳ２０１  ＹＥＳ）、システム制御部２１は、ＲＡＭ４３に記憶されたサブアドレスアカウントテーブル６０を参照し、受信したサブアドレスがサブアドレスアカウントテーブル６０に登録されているか確認する。ここで、受信したサブアドレスがサブアドレスアカウントテーブル６０に登録されていない場合（ステップＳ２０３  ＮＯ）、システム制御部２１は通信エラーと判断し、ファクシミリ制御部２４を制御してファクシミリ回線を切断するＤＣＮをファクシミリ装置１００に対して送信させ、一連のファクシミリ通信を終了する。
【００４７】
一方、受信したサブアドレスがサブアドレスアカウントテーブル６０に登録されている場合（ステップＳ２０３  ＹＥＳ）、システム制御部２１は、ファクシミリ制御部２４を制御してファクシミリ画像データを受信させ、受信したファクシミリ画像データをメモリ蓄積部２５に蓄積させる（ステップＳ２０４）。
【００４８】
次に、システム制御部２１は受信したファクシミリ画像データを復号化するとともに（ステップＳ２０５）、ＲＡＭ４３に記憶されたサブアドレスアカウントテーブル６０に当該サブアドレス６１に対応するファクシミリ画像データの画像変換時に適用される解像度が登録されているか否かを確認する。ここで、解像度が登録されている場合（ステップＳ２０６  ＹＥＳ）、システム制御部２１は、画像変換部２６を制御し、登録された解像度に基づきファクシミリ画像データを画像変換させた後（ステップＳ２０７）、変換されたファクシミリ画像データを印刷データであるＰＤＦファイルに変換する（ステップＳ２０８）。
【００４９】
そして、システム制御部２１は、印刷データ送信部２７及びネットワーク制御部２２を制御して、サブアドレスアカウントテーブル６２に登録されているアカウント６２を用いてクラウド１に接続し、当該アカウント６２、プリンタ名６３、印刷データ名、当該印刷データ、及び印刷データのファイル形式をＨＴＴＰ（HyperText Transfer Protocol）を使用して送信する（ステップＳ２０９）。ところで、サブアドレスアカウントテーブル６０に当該サブアドレス６１に対応するファクシミリ画像データの画像変換時に適用される解像度が登録されていない場合（ステップＳ２０６  ＮＯ）、システム制御部２１は、ファクシミリ画像データをＰＤＦファイルに変換し（ステップＳ２０８）、ステップＳ２０９の処理を行う。なお、ＨＴＴＰとは、ＨＴＭＬ（HyperText Markup Language）等のコンテンツ送受信に使用される通信プロトコルである。
【００５０】
以上のように、本実施形態によれば、スタンドアロン状態のファクシミリ装置であっても、本実施形態に係るゲートウェイ装置に対してサブアドレスを用いたファクシミリ通信を行うことで、クラウドサービスに登録された印刷装置での印刷が可能となる。
【００５１】
本発明の実施形態の説明において、本発明を適用したゲートウェイ装置を一例にして説明したが、本発明はこれに限定されるものではなく、例えば、ファクシミリ装置、ＭＦＰ装置等にも本発明は適用可能である。
【符号の説明】
【００５２】
１０  ゲートウェイ装置
１１  制御部
１２  システムバス
２１  システム制御部
２２  ネットワーク制御部
２３  操作パネル制御部
２４  ファクシミリ制御部
２５  メモリ蓄積部
２６  画像変換部
２７  印刷データ送信部
３０  ＮＩＣ
３１  操作パネル
３２  ＮＣＵ
３３  モデム
３４  メモリ
４１  ＣＰＵ
４２  ＲＯＭ
４３  ＲＡＭ
１００  ファクシミリ装置
２００  印刷装置
【図１】
2015070305.tif 000003
【図２】
2015070305.tif 000004
【図３】
2015070305.tif 000005
【図４】
2015070305.tif 000006
【図５】
2015070305.tif 000007
【図６】
2015070305.tif 000008
【図７】
2015070305.tif 000009
【図８】
2015070305.tif 000010